【手続補正書】
【提出日】平成16年3月25日(2004.3.25)
【手続補正１】
【補正対象書類名】明細書
【補正対象項目名】特許請求の範囲
【補正方法】変更
【補正の内容】
【特許請求の範囲】
【請求項１】
光源からの光をＲ光、Ｇ光及びＢ光に色分解する色分解光学系と、
１層又は複数層からなる外層用フィルムと、水溶性フィルムと、前記外層用フィルムと前記水溶性フィルムとの間に介在された中間層であって、少なくとも前記水溶性フィルムの側の面が所望の程度に酸化された高圧法ポリエチレンを含む中間層とからなり、前記外層用フィルムと前記中間層との間が強接着されるとともに、前記中間層と前記水溶性フィルムとの間が直接に接して剥離可能に弱接着されたラミネートフィルムにおいて、
前記水溶性フィルムが、水溶性基材フィルムと、該水溶性基材フィルムの前記中間層側の面に分布された水溶性アンカーコート剤とを含むことを特徴とするラミネートフィルム。
【請求項２】
前記水溶性基材フィルムが、ポリビニルアルコール、酢酸ビニル、酢酸ビニル系樹脂、ポリアクリルアミド、ポリエチレンオキシド、ポリビニルピロリドンのうちの１種以上からなることを特徴とする請求項１記載のラミネートフィルム。
【請求項３】
前記水溶性アンカーコート剤が、ポリエチレンイミン系アンカーコート剤であることを特徴とする請求項１又は２記載のラミネートフィルム。
【請求項４】
１層又は複数層からなる外層用フィルムと、該外層用フィルムの側の面に水溶性アンカーコート剤が予め塗布された水溶性基材フィルムとの間に、溶融され熱酸化された高圧法ポリエチレンを膜状に押し出し、
前記外層用フィルム、前記水溶性アンカーコート剤が予め塗布された前記水溶性基材フィルム及び前記膜状の高圧法ポリエチレンを圧着しつつ冷却することを特徴とするラミネートフィルムの製造方法。
【請求項５】
１層又は複数層からなる外層用フィルムであって少なくとも一方の面に予め高圧法ポリエチレン層が形成された外層用フィルムの当該高圧法ポリエチレン層と、前記外層用フィルムの側の面に水溶性アンカーコート剤が予め塗布された水溶性基材フィルムとの間に、溶融され熱酸化された高圧法ポリエチレンを膜状に押し出し、
前記高圧法ポリエチレン層が予め形成された前記外層用フィルム、前記水溶性アンカーコート剤が予め塗布された前記水溶性基材フィルム及び前記膜状の高圧法ポリエチレンを圧着しつつ冷却することを特徴とするラミネートフィルムの製造方法。
【請求項６】
請求項１乃至３のいずれかに記載のラミネートフィルムを用い、当該ラミネートフィルムを前記水溶性フィルムが内側となるように重ね合わせて所定箇所をヒートシールして当該所定箇所において対面する水溶性フィルム間を溶着させ、一辺が開口した袋状に形成されてなることを特徴とする袋体。
【請求項７】
請求項１乃至３のいずれかに記載のラミネートフィルムを用い、当該ラミネートフィルムを前記水溶性フィルムが内側となるように重ね合わせて所定箇所をヒートシールして当該所定箇所において対面する水溶性フィルム間を溶着させて密封した袋体の内部に、所望の収容物を収容してなることを特徴とする袋詰め体。
【請求項８】
前記収容物が、農薬、薬剤、食品又は撒き餌であることを特徴とする請求項７記載の袋詰め体。
【手続補正２】
【補正対象書類名】明細書
【補正対象項目名】００４８
【補正方法】変更
【補正の内容】
【００４８】
本発明の第４の態様によるラミネートフィルムの製造方法は、１層又は複数層からなる外層用フィルムと、該外層用フィルムの側の面に水溶性アンカーコート剤が予め塗布された水溶性基材フィルムとの間に、溶融され熱酸化された高圧法ポリエチレンを膜状に押し出し、前記外層用フィルム、前記水溶性アンカーコート剤が予め塗布された前記水溶性基材フィルム及び前記膜状の高圧法ポリエチレンを圧着しつつ冷却するものである。


【手続補正３】
【補正対象書類名】明細書
【補正対象項目名】００４９
【補正方法】変更
【補正の内容】
【００４９】
本発明の第５の態様によるラミネートフィルムの製造方法は、１層又は複数層からなる外層用フィルムであって少なくとも一方の面に予め高圧法ポリエチレン層が形成された外層用フィルムの当該高圧法ポリエチレン層と、前記外層用フィルムの側の面に水溶性アンカーコート剤が予め塗布された水溶性基材フィルムとの間に、溶融され熱酸化された高圧法ポリエチレンを膜状に押し出し、前記高圧法ポリエチレン層が予め形成された前記外層用フィルム、前記水溶性アンカーコート剤が予め塗布された前記水溶性基材フィルム及び前記膜状の高圧法ポリエチレンを圧着しつつ冷却するものである。


【手続補正４】
【補正対象書類名】明細書
【補正対象項目名】００５２
【補正方法】変更
【補正の内容】
【００５２】
本発明の第６の態様による袋体は、前記第１乃至第３のいずれかの態様によるラミネートフィルムを用い、当該ラミネートフィルムを前記水溶性フィルムが内側となるように重ね合わせて所定箇所をヒートシールして当該所定箇所において対面する水溶性フィルム間を溶着させ、一辺が開口した袋状に形成されたものである。


【手続補正５】
【補正対象書類名】明細書
【補正対象項目名】００５３
【補正方法】変更
【補正の内容】
【００５３】
本発明の第７の態様による袋詰め体は、請求項１乃至３のいずれかに記載のラミネートフィルムを用い、当該ラミネートフィルムを前記水溶性フィルムが内側となるように重ね合わせて所定箇所をヒートシールして当該所定箇所において対面する水溶性フィルム間を溶着させて密封した袋体の内部に、所望の収容物を収容したものである。


【手続補正６】
【補正対象書類名】明細書
【補正対象項目名】００７１
【補正方法】変更
【補正の内容】
【００７１】
まず、「エンブレッドＰＥＴ」（ポリエステルフィルム１）とアルミ箔３とを層２となる「Ｌ１７８」にて押し出しラミネートし、基材フィルム１０を用意した。そして、基材フィルム１０のアルミ箔３の面上にアンカーコート剤４を塗布し、その上に押し出しラミネートにより予め「Ｌ１７８」の層５ａを形成しておく。なお、基材フィルム１０とアンカーコート剤４が外層用フィルム２０となっている。このようにしてアンカーコート剤４及び「Ｌ１７８」の層５ａが予め形成された基材フィルム１０を、図２に示すように、ラミネート機３０の案内ローラ３１を介してラミネート機３０のプレッシャーローラ３２とクーリングローラ３３との間に導く。アンカーコート剤４及び「Ｌ１７８」の層５ａが予め形成された基材フィルム１０は、「Ｌ１７８」の層５ａの側を図２中の上側として配置されている。一方、「ＶＦ−ＨＰ」（水溶性基材フィルム６ａ）を、ラミネートラミネート機３０の案内ローラ３９，３８を介して、塗布ローラ２８と案内ローラ３７との間に導き、塗布ローラ２８によって「ＶＦ−ＨＰ」（水溶性基材フィルム６ａ）の一方の面に、「ＡＣ−Ｐ」をメタノールで希釈したもの（水溶性アンカーコート剤６ｂに相当）を塗布量４．７ｇ／ｍ２で塗布する。なお、図２中、２９は、塗布ローラ２８に「ＡＣ−Ｐ」をメタノールで希釈したもの（水溶性アンカーコート剤６ｂに相当）を供給するように当該希釈物を収容する容器である。当該希釈物が塗布された「ＶＦ−ＨＰ」（水溶性フィルム６に相当）が、案内ローラ３６，３４を経て、当該希釈物（水溶性アンカーコート剤６ｂに相当）が図２中の上側となって、アンカーコート剤４及び「Ｌ１７８」の層５ａが予め形成された基材フィルム１０と反対の側から、プレッシャーローラ３２とクーリングローラ３３との間に導かれる。なお、プレッシャーローラ３２とクーリングローラ３３との間に導かれて後述するように圧着されるまでに、前記希釈物のうちの前記固形分以外のものの大部分は揮発する。同時に、プレッシャーローラ３２とクーリングローラ３３との間の位置の上方から、溶融された「Ｌ１７８」（前記層５ａとともに中間層５を構成する層５ｂとなる）を、アンカーコート剤４及び「Ｌ１７８」の層５ａが予め形成された基材フィルム１０と、前記希釈物が塗布された「ＶＦ−ＨＰ」（それら全体が水溶性フィルム６に相当）との間に押し出し機４０にて膜状に押し出す。その結果、「Ｌ１７８」の層５ａが予め形成された外層用フィルム２０、膜状の「Ｌ１７８」５ｂ、及び「ＡＣ−Ｐ」の主として固形分（水溶性アンカーコート剤６ｂ）が予め塗布された「ＶＦ−ＨＰ」（水溶性フィルム６）が、プレッシャーローラ３２及びクーリングローラ３３により圧着されつつ冷却され、前述した図１に示すラミネートフィルムとなり、案内ローラ３５に導かれていき、後述する図３に示すように巻き取られる。


【手続補正７】
【補正対象書類名】明細書
【補正対象項目名】００７３
【補正方法】変更
【補正の内容】
【００７３】
そして、この製造方法により、水溶性アンカーコート剤６ｂとしての「ＡＣ−Ｐ」の固形分の塗布量、及び、「Ｌ１７８」５ｂの押し出し機４０の押し出し前の温度（押し出し機４０のダイス温度）のみを変えて、図１に示すような構成の試料Ｎｏ．１〜３のラミネートフィルムを製造した。


【手続補正８】
【補正対象書類名】明細書
【補正対象項目名】００７８
【補正方法】変更
【補正の内容】
【００７８】
さらに、比較例として、前述した製造方法において、「ＡＣ−Ｐ」をメタノールで希釈したもの（すなわち、水溶性アンカーコート剤６ｂ）を「ＶＦ−ＨＰ」に全く塗布せずに、ダイス温度を３３５゜Ｃシリンダー温度はこれに準じた設定として、図１に示すような構成（ただし、水溶性フィルム６は水溶性基材フィルム６ａとしての「ＶＦ−ＨＰ」のみからなる。）の試料Ｎｏ．４のラミネートフィルムを製造した。また、基材フィルム１０には予めアンカーコート剤４を塗布するが「Ｌ１７８」の層５ａは形成しておくことなく、このアンカーコート剤４を塗布した基材フィルム１０をプレッシャーローラ３２とクーリングローラ３３との間に導くことによって、試料Ｎｏ．４のラミネートフィルムを製造した。したがって、試料Ｎｏ．４のラミネートフィルムでは、中間層５が押し出し機４０から押し出された「Ｌ１７８」５ｂのみによって構成されることになる。これは、ダイス温度を３３５゜Ｃと高く設定したので、「Ｌ１７８」を押し出しラミネートによりアンカーコート剤４を介してアルミ箔３に強接着することができるためである。換言すると、試料Ｎｏ．１〜３のラミネートフィルムでは、ダイス温度が比較的低く、試料Ｎｏ．４のラミネートフィルムのように中間層５を押し出し機４０から押し出された「Ｌ１７８」５ｂのみによって構成すると、中間層５と外層用フィルム２０との間を確実に強接着させることができないおそれがあることから、前述したようにして製造することとしたものである。もっとも、本発明によるラミネートフィルムの製造方法では、ダイス温度を比較的高く設定する場合には、試料Ｎｏ．４のラミネートフィルムの製造方法と同様の方法を採用してもよい。なお、試料Ｎｏ．４のラミネートフィルムの中間層５の厚さは１５μｍとした。以上述べた点以外については、試料４のラミネートフィルムは、試料Ｎｏ．１〜３のラミネートフィルムと同一の条件で製造した。


【手続補正９】
【補正対象書類名】明細書
【補正対象項目名】図６
【補正方法】変更
【補正の内容】
【図６】図５におけるＸ２−Ｘ２’矢視図に相当するもので、袋体の屈曲テストの様子を示す図である。


【手続補正１０】
【補正対象書類名】明細書
【補正対象項目名】図７
【補正方法】変更
【補正の内容】
【図７】図５におけるＸ２−Ｘ２’矢視図に相当するもので、他の袋体の屈曲テストの様子を示す図である。